(57)【特許請求の範囲】
【請求項１】
表示対象となる複数の表示画面を保持する表示画面保持部と、
前記複数の表示画面において現在表示されている表示画面が何れであるかを示す表示状態を保持する表示状態保持部と、
時間を計時する計時部と、
操作入力を検出する操作検出部と、
前記複数の表示画面を構成する表示画面であって所定機能を実行するための操作を行う第１の表示画面が表示されていることを前記表示状態が示している場合において前記操作検出部が前記第１の表示画面において必要とされない特定操作部材の操作入力の開始を検出すると前記計時部に計時を開始させ、前記計時部が所定の時間を計時するまでの間、前記特定操作部材の操作入力が継続していれば、前記所定機能に関連する機能であって前記第１の表示画面においては実行することができない機能を実行するための操作を行う表示画面であって前記複数の表示画面を構成する第２の表示画面を表示させるように制御する表示制御部と
を具備する表示制御装置。
【請求項２】
前記第２の表示画面は、前記所定機能よりも使用頻度が少ない機能を実行するための操作を行う表示画面であり、
前記操作検出部は、前記第１の表示画面に表示されているボタンの押下操作に係る操作部材以外の操作部材のうちの特定ボタンの押下操作を、前記特定操作部材の操作入力として検出する
請求項１記載の表示制御装置。
【請求項３】
前記第１の表示画面はファイルシステムにおける管理領域からデータ領域に対するリンクの消去を受け付ける表示画面であり、前記第２の表示画面は前記データ領域におけるデータの消去を受け付ける表示画面である請求項１記載の表示制御装置。
【請求項４】
前記表示制御部は、前記計時部が前記所定の時間を計時した際に前記特定操作部材の操作入力が継続していることを確認して、前記特定操作部材の操作入力が継続していれば前記第２の表示画面を表示させ、または、前記特定操作部材の操作入力が解除された際に前記計時部の計時内容を確認して、前記所定の時間を計時していれば前記第２の表示画面を表示させる請求項１記載の表示制御装置。
【請求項５】
表示対象となる複数の表示画面を保持する表示画面保持部と、
前記複数の表示画面の何れかを表示する表示部と、
前記表示部に現在表示されている表示画面が何れであるかを示す表示状態を保持する表示状態保持部と、
時間を計時する計時部と、
操作入力を検出する操作検出部と、
前記複数の表示画面を構成する表示画面であって所定機能を実行するための操作を行う第１の表示画面が表示されていることを前記表示状態が示している場合において前記操作検出部が前記第１の表示画面において必要とされない特定操作部材の操作入力の開始を検出すると前記計時部に計時を開始させ、前記計時部が所定の時間を計時するまでの間、前記特定操作部材の操作入力が継続していれば、前記所定機能に関連する機能であって前記第１の表示画面においては実行することができない機能を実行するための操作を行う表示画面であって前記複数の表示画面を構成する第２の表示画面を表示させるように制御する表示制御部と
を具備する表示装置。
【請求項６】
表示対象となる複数の表示画面を構成する表示画面であって所定機能を実行するための操作を行う第１の表示画面が表示されているか否かを確認する手順と、
前記第１の表示画面が表示されている場合において前記第１の表示画面において必要とされない特定操作部材の操作入力の開始が操作検出部により検出されると計時部に計時を開始させる手順と、
前記第１の表示画面が表示されている場合において所定の時間が前記計時部により計時されると、前記所定機能に関連する機能であって前記第１の表示画面においては実行することができない機能を実行するための操作を行う表示画面であって前記複数の表示画面を構成する第２の表示画面を表示させるように制御する手順と
を具備する表示制御方法。
【請求項７】
表示対象となる複数の表示画面を構成する表示画面であって所定機能を実行するための操作を行う第１の表示画面が表示されているか否かを確認する手順と、
前記第１の表示画面が表示されている場合において前記第１の表示画面において必要とされない特定操作部材の操作入力の開始が操作検出部により検出されると計時部に計時を開始させる手順と、
前記第１の表示画面が表示されている場合において所定の時間が前記計時部により計時されると、前記所定機能に関連する機能であって前記第１の表示画面においては実行することができない機能を実行するための操作を行う表示画面であって前記複数の表示画面を構成する第２の表示画面を表示させるように制御する手順と
をコンピュータに実行させるプログラム。
【発明の詳細な説明】
【技術分野】
【０００１】
本発明は、撮像装置において使用する表示装置に関し、特に画像データ削除機能の操作入力を受け付ける表示装置、および、これらにおける処理方法ならびに当該方法をコンピュータに実行させるプログラムに関する。
【背景技術】
【０００２】
ハードディスクドライブを記録媒体として用いる撮像装置において、画像の撮影および消去を繰り返していると、ハードディスクドライブにおけるファイルが断片化されて、画像データの書込みおよび読出しの際に時間を要するようになる場合がある。そのような場合、ハードディスクドライブの初期化処理が行われる。この初期化処理によって、データ領域を管理するファイル管理領域において、データ領域に対するリンクが削除され、データ領域が再利用できるようになる。
【０００３】
但し、この初期化処理では、データ領域の記録内容自体はそのまま残存するため、何らかの手段でデータ領域を読み出していくことにより、その内容を復元できる可能性がある。
【０００４】
これに対して、ハードディスクドライブのデータ消去処理によれば、ファイル管理領域におけるデータ領域へのリンクが削除されるのみならず、データ領域に一定のデータが上書きされるため、データ領域を復元することが出来なくなる。この処理は、撮像装置を破棄または譲渡する前に実行されるものであり、通常の使用状態においては使用されることのない処理である。
【０００５】
このハードディスクドライブのデータ消去処理においては、データ領域全体に対して上書きを行うため、記録容量に応じて数十分単位の時間を要することになる。また、ユーザが誤って操作してしまった場合、データの内容を復元することができないという問題がある。
【０００６】
そこで、従来の撮像装置においては、通常状態ではハードディスクドライブのデータ消去処理のメニュー画面を表示しないようにしておいて、特殊な操作を行うことによってそのメニュー画面を表示するような工夫がなされている。例えば、画面表示ボタンを押下しながら電源を投入することによって、ハードディスクドライブの設定メニューにハードディスクドライブのデータ消去処理のメニュー画面を表示させる撮像装置が実現されている（例えば、非特許文献１参照。）。
【非特許文献１】「デジタルビデオカメラレコーダーＤＣＲ−ＳＲ１００取扱説明書カメラ編」、ソニー株式会社、２００６年
【発明の開示】
【発明が解決しようとする課題】
【０００７】
上述の従来技術によれば、ハードディスクドライブのデータ消去処理のような、通常の使用状態においては使用されることのない機能をユーザに対して見せないようにすることができる。しかしながら、その機能を提供するために他の機能と無関係な操作を行うこととすると、ユーザにとって直感的に分かり難く、操作が煩雑になるという問題がある。また、一度メニュー画面にその機能を表示してしまうと、それを消去するためにはまた別の操作が必要になるという問題が生じる。
【０００８】
そこで、本発明は、ハードディスクドライブのデータ消去処理のような、通常の使用状態においては使用されることのない機能を、その機能に関連する画面から移行することによって提供することを目的とする。
【課題を解決するための手段】
【０００９】
本発明は、上記課題を解決するためになされたものであり、その第１の側面は、表示対象となる複数の表示画面を保持する表示画面保持部と、上記複数の表示画面において現在表示されている表示画面が何れであるかを示す表示状態を保持する表示状態保持部と、時間を計時する計時部と、操作入力を検出する操作検出部と、上記複数の表示画面を構成する表示画面であって所定機能を実行するための操作を行う第１の表示画面が表示されていることを上記表示状態が示している場合において上記操作検出部が上記第１の表示画面において必要とされない特定操作部材の操作入力の開始を検出すると上記計時部に計時を開始させ、上記計時部が所定の時間を計時するまでの間、上記特定操作部材の操作入力が継続していれば、上記所定機能に関連する機能であって上記第１の表示画面においては実行することができない機能を実行するための操作を行う表示画面であって上記複数の表示画面を構成する第２の表示画面を表示させるように制御する表示制御部とを具備する表示制御装置である。これにより、第１の表示画面が表示されているときに所定の操作が行われると、前記第１の表示画面に関連する第２の表示画面を表示させるという作用をもたらす。
また、この第１の側面において、上記第２の表示画面は、上記所定機能よりも使用頻度が少ない機能を実行するための操作を行う表示画面であり、上記操作検出部は、上記第１の表示画面に表示されているボタンの押下操作に係る操作部材以外の操作部材のうちの特定ボタンの押下操作を、上記特定操作部材の操作入力として検出するようにしてもよい。これにより、第１の表示画面に表示されているボタンの押下操作に係る操作部材以外の操作部材のうちの特定ボタンが所定時間押下されると、第１の表示画面において実行するための操作がされる機能に関連する機能であって通常の使用状態においては使用されることのない機能を実行するための操作を行う第２の表示画面が表示されるという作用をもたらす。
【００１０】
また、この第１の側面において、上記第１の表示画面はファイルシステムにおける管理領域からデータ領域に対するリンクの消去を受け付ける表示画面であり、上記第２の表示画面は上記データ領域におけるデータの消去を受け付ける表示画面であることを特徴とする。これにより、ファイルシステムにおける管理領域からデータ領域に対するリンクの消去を受け付ける表示画面において所定の操作を行ったときに、データ領域におけるデータの消去を受け付ける表示画面を表示させるという作用をもたらす。
【００１１】
また、この第１の側面において、上記表示制御部は、上記計時部が上記所定の時間を計時した際に上記特定操作部材の操作入力が継続していることを確認して、上記特定操作部材の操作入力が継続していれば上記第２の表示画面を表示させ、または、上記特定操作部材の操作入力が解除された際に上記計時部の計時内容を確認して、上記所定の時間を計時していれば上記第２の表示画面を表示させるようにしてもよい。これにより、計時部が所定の時間を計時すると速やかに第２の表示画面を表示させるという作用をもたらす。
【００１３】
また、本発明の第２の側面は、表示対象となる複数の表示画面を保持する表示画面保持部と、上記複数の表示画面の何れかを表示する表示部と、上記表示部に現在表示されている表示画面が何れであるかを示す表示状態を保持する表示状態保持部と、時間を計時する計時部と、操作入力を検出する操作検出部と、上記複数の表示画面を構成する表示画面であって所定機能を実行するための操作を行う第１の表示画面が表示されていることを上記表示状態が示している場合において上記操作検出部が上記第１の表示画面において必要とされない特定操作部材の操作入力の開始を検出すると上記計時部に計時を開始させ、上記計時部が所定の時間を計時するまでの間、上記特定操作部材の操作入力が継続していれば、上記所定機能に関連する機能であって上記第１の表示画面においては実行することができない機能を実行するための操作を行う表示画面であって上記複数の表示画面を構成する第２の表示画面を表示させるように制御する表示制御部とを具備する表示装置である。これにより、第１の表示画面が表示されているときに所定の操作が行われると、前記第１の表示画面に関連する第２の表示画面を表示部に表示させるという作用をもたらす。
【００１４】
また、本発明の第３の側面は、表示対象となる複数の表示画面を構成する表示画面であって所定機能を実行するための操作を行う第１の表示画面が表示されているか否かを確認する手順と、上記第１の表示画面が表示されている場合において上記第１の表示画面において必要とされない特定操作部材の操作入力の開始が操作検出部により検出されると計時部に計時を開始させる手順と、上記第１の表示画面が表示されている場合において所定の時間が上記計時部により計時されると、上記所定機能に関連する機能であって上記第１の表示画面においては実行することができない機能を実行するための操作を行う表示画面であって上記複数の表示画面を構成する第２の表示画面を表示させるように制御する手順とを具備する表示制御方法またはこれら手順をコンピュータに実行させるプログラムである。これにより、第１の表示画面が表示されているときに所定の操作が行われると、第１の表示画面に関連する第２の表示画面を表示させるという作用をもたらす。
【発明の効果】
【００１５】
本発明によれば、通常の使用状態においては使用されることのない機能を、その機能に関連する画面から移行することによって提供することができるという優れた効果を奏し得る。
【発明を実施するための最良の形態】
【００１６】
次に本発明の実施の形態について図面を参照して詳細に説明する。
【００１７】
図１は、本発明の実施の形態における撮像装置１００の一構成例を示すブロック図である。
【００１８】
撮像装置１００は、マイクロプロセッサ１１０と、表示信号作成回路１２０と、重畳回路１３０と、タッチパネル１４０と、ビューファインダ１５０と、出力端子１６０と、レンズ１７０と、ＣＣＤ（Charge Coupled Devices）１８０と、カメラ信号処理回路１９０と、記録回路２００と、ハードディスクドライブ２１０と、キー入力回路２２０と、電源回路２３０と、電源コントロール回路２４０と、バッテリ２５０と、ＡＣケーブル２６０とを備える。
【００１９】
マイクロプロセッサ１１０は、メモリ（図示せず）に記憶されている制御プログラムに基づいて、撮像装置１００の各部を制御するマイクロプロセッサである。また、マイクロプロセッサ１１０は、タッチパネル１４０やキー入力回路２２０から入力される入力電圧をＡ／Ｄ変換して得られる変換値に基づいて、現在押されているボタンを判断し、判断結果に基づいて、表示信号作成回路１２０にコマンドを出力する。
【００２０】
表示信号作成回路１２０は、タッチパネル１４０に表示される各種画像を保持するＶＲＡＭ（Video Random Access Memory）を備え、マイクロプロセッサ１１０が出力したコマンドを解釈し、解釈されたコマンドに基づいてＶＲＡＭ上に作成された表示信号を走査単位で重畳回路１３０に出力するものである。また、表示信号作成回路１２０は、マイクロプロセッサ１１０が出力したビットマップデータをＶＲＡＭ上に展開し、ＶＲＡＭ上に展開されたビットマップデータに対応する表示信号を走査単位で重畳回路１３０に出力する。
【００２１】
重畳回路１３０は、カメラ信号処理回路１９０が出力した映像信号と、表示信号作成回路１２０が出力した表示信号とを重畳し、重畳された画像信号をタッチパネル１４０とビューファインダ１５０と出力端子１６０とに出力する重畳回路である。
【００２２】
タッチパネル１４０は、重畳回路１３０が出力した画像信号に対応する画像を、例えばＬＣＤ（Liquid Crystal Display）パネルに表示するとともに、ＬＣＤパネルにおける接触を電気信号に変換し、変換された電気信号をマイクロプロセッサ１１０に出力するタッチパネルである。また、タッチパネル１４０は、各種画面において複数のボタンを表示するとともに当該複数のボタンのうちから所望のボタンを選択させるタッチパネルである。
【００２３】
ビューファインダ１５０は、撮像装置１００において撮影されている画像や再生されている画像を表示する表示装置であり、重畳回路１３０が出力した画像信号に対応する画像を表示する。
【００２４】
出力端子１６０は、重畳回路１３０が出力した画像信号を、テレビジョン等の外部装置に出力する出力端子（LINE OUT）である。
【００２５】
レンズ１７０は、外界の光を集光し、集光された光をＣＣＤ１８０に出力するものである。なお、レンズ１７０は、マイクロプロセッサ１１０が出力したコントロール信号に従って、絞り値を変更して撮像画像の明るさを調節する。
【００２６】
ＣＣＤ１８０は、レンズ１７０を経由して入力された光信号を電気信号に変換し、変換された電気信号をカメラ信号処理回路１９０に出力する撮像素子である。
【００２７】
カメラ信号処理回路１９０は、ＣＣＤ１８０が出力した電気信号に対して適正な信号処理を施し、信号処理が施された電気信号を映像信号として記録回路２００、ハードディスクドライブ２１０および重畳回路１３０に出力するものである。また、カメラ信号処理回路１９０は、マイクロプロセッサ１１０が出力したコントロール信号に従って、映像効果を映像信号に加える処理を実行する。
【００２８】
記録回路２００は、マイクロプロセッサ１１０が出力したコントロール信号に従って、カメラ信号処理回路１９０が出力した映像信号を記録メディアに記録する記録回路である。
【００２９】
ハードディスクドライブ２１０は、マイクロプロセッサ１１０が出力したコントロール信号に従って、カメラ信号処理回路１９０が出力した映像信号を格納するものである。このハードディスクドライブ２１０は、内部にプラッタと呼ばれる金属製のディスク状記録媒体を複数枚備え、磁気によるデータの読出しまたは書込みを行う。
【００３０】
キー入力回路２２０は、一または複数の外部操作部材を備え、外部操作部材の操作に応じた入力電圧をマイクロプロセッサ１１０に出力する回路である。なお、外部操作部材は、撮像装置１００に備えられるハードキーである。
【００３１】
電源回路２３０は、マイクロプロセッサ１１０および他回路に電源供給を行う電源回路である。なお、電源供給元は、バッテリ２５０またはＡＣケーブル２６０である。
【００３２】
電源コントロール回路２４０は、マイクロプロセッサ１１０が出力したコントロール信号に従って、他回路への電源供給の有無を操作するものである。
【００３３】
バッテリ２５０は、電源回路２３０に電気を供給するバッテリである。また、バッテリ２５０は、ＡＣケーブル２６０から供給される電気によって充電される。
【００３４】
ＡＣケーブル２６０は、電源回路２３０に電気を供給するＡＣケーブルである。
【００３５】
図２は、本発明の実施の形態における撮像装置１００の外観例を示す図である。この撮像装置１００には、タッチパネル１４０と、レンズ１７０と、バッテリ２５０と、外部操作スイッチ２７０と、電源スイッチ２８０とが設けられている。
【００３６】
外部操作スイッチ２７０は、撮像装置１００の筐体に設けられたハードキーである。この外部操作スイッチ２７０はキー入力回路２２０に接続しており、この外部操作スイッチ２７０の操作内容に応じた信号がマイクロプロセッサ１１０に伝達されるようになっている。
【００３７】
電源スイッチ２８０は、撮像装置１００の電源スイッチである。この電源スイッチ２８０は電源コントロール回路２４０に接続しており、この電源スイッチ２８０の操作内容に応じて撮像装置１００内の各回路に対する電源供給の有無が切り替わるようになっている。
【００３８】
図３は、本発明の実施の形態における撮像装置１００の画面表示制御に関する機能構成例を示すブロック図である。この撮像装置１００は、操作検出部２９０と、表示画面保持部３００と、表示状態保持部３１０と、表示制御部３２０と、タイマー３３０と、表示部３４０とを備える。
【００３９】
操作検出部２９０は、撮像装置１００に対する操作入力を検出するものである。この操作入力としては、タッチパネル１４０に対する操作入力や外部操作スイッチ２７０による操作入力などが考えられる。
【００４０】
表示画面保持部３００は、表示部３４０における表示対象となる複数の表示画面を保持するものであり、表示信号作成回路１２０のＶＲＡＭに相当するものである。この表示画面保持部３００に保持される複数の表示画面の各々は、操作検出部２９０によって検出された操作入力に基づいて読み出され、重畳回路１３０に供給される。
【００４１】
表示状態保持部３１０は、表示画面保持部３００に保持される複数の表示画面の中で表示部３４０に表示されている表示画面が何れであるかを示す表示状態を保持するものである。この表示状態保持部３１０に保持される表示状態は、表示制御部３２０によって更新され、参照される。
【００４２】
表示制御部３２０は、表示部３４０に表示される表示画面を制御するものである。すなわち、この表示制御部３２０は、操作検出部２９０によって検出された操作入力に従って、適切な表示画面を表示部３４０に表示させる。
【００４３】
タイマー３３０は、表示制御部３２０からの制御信号に基づいて時間を計測するタイマーである。このタイマー３３０による計測結果は、表示制御部３２０に供給される。
【００４４】
表示部３４０は、表示制御部３２０による制御に基づいて表示画面を表示するものであり、タッチパネル１４０のＬＣＤパネルに相当するものである。
【００４５】
図４は、表示部３４０における表示画面の切替操作の一例を示す図である。図４（ａ）は、電源スイッチ２８０の操作により撮像装置１００の電源が通電した直後の表示画面例を示す図である。この表示画面例では、左上方にメニューボタン３５０が表示されている。このメニューボタン３５０が押されることにより、表示部３４０には図４（ｂ）のような各機能の選択画面がメニュー画面として表示される。
【００４６】
図４（ｂ）のメニュー画面では、下方に表示されている機能表示３６０が機能の候補を表しており、選択ボタン３７０が押されることによって機能表示３６０が他の機能の表示に切り替わるようになっている。この画面例では、ハードディスクドライブ初期化ボタン４１０およびハードディスクドライブ情報ボタン４２０が表示されている。その際、ハードディスクドライブ初期化ボタン４１０が押されると、ハードディスクドライブ２１０の初期化画面に画面表示が切り替わる。一方、ハードディスクドライブ情報ボタン４２０が押されると、ハードディスクドライブ２１０の情報画面に画面表示が切り替わる。なお、左上方の「×」ボタン４００が押されると、図４（ａ）に示した表示画面に戻る。
【００４７】
図５は、本発明の実施の形態におけるハードディスクドライブ２１０の情報画面例を示す図である。この画面例には、ハードディスクドライブ２１０の使用状況が示されている。
【００４８】
すなわち、画面中央の下方にハードディスクドライブ２１０の空き領域の容量４４０および使用領域の容量４５０が表示される。さらに、画面中央の上方には、空き領域の容量４４０に対する使用領域の容量４５０の割合の示されたグラフ４６０が表示される。また、左上方には、「×」ボタン４７０が表示され、この「×」ボタン４７０が押されると図４（ａ）に示した表示画面に戻る。
【００４９】
図６は、本発明の実施の形態におけるハードディスクドライブ２１０の初期化画面例を示す図である。この初期化画面において、表示画面の中央部には、「初期化しますか？初期化するとすべてのデータが削除されます。」と注意を促す表示４８０が表示される。また、これと併せて処理に要する予測時間が表示される。
【００５０】
さらに、表示画面の下方には、「はい」ボタン４９０および「いいえ」ボタン５００が表示される。ここで、「はい」ボタン４９０が押されるとハードディスクドライブ２１０の初期化が実行される。この初期化により、それまで存在していたデータは、見かけ上、全て削除される。但し、この初期化では、データを管理する領域が初期化されるだけで、データ本体は残存する。したがって、何らかの手段によって管理領域を復元することにより、データを復元できる場合がある。
【００５１】
一方、「いいえ」ボタン５００または「×」ボタン５１０が押されるとハードディスクドライブ２１０の初期化は実行されない。なお、「いいえ」ボタンまたは「×」ボタン５１０が押された場合には、図４（ａ）に示した表示画面に戻る。
【００５２】
図７は、本発明の実施の形態におけるハードディスクドライブ２１０の初期化の動作例を示す図である。このハードディスクドライブ２１０の内部領域は、予約領域５２０と、管理情報５３０と、ファイル管理領域５４０と、データ領域５５０とを備える。
【００５３】
予約領域５２０は、ハードディスクドライブ２１０を認識する際に用いられる領域である。
【００５４】
管理情報５３０は、ハードディスクドライブ２１０の記憶容量、クラスタとよばれる割当単位の容量、ファイルシステムの種別などに関する管理情報を保持する領域であり、ブートセクタなどとよばれるものである。
【００５５】
ファイル管理領域５４０は、データ領域５５０に記憶されるファイルを管理するファイル管理情報を保持する。このファイル管理領域５４０は、各ファイルの内容をデータ領域５５０に割り当てるための情報およびデータ領域５５０に記憶されるファイルのファイル名等の属性情報を記憶するものである。
【００５６】
データ領域５５０は、ファイルの内容であるファイルデータを記憶する領域である。各ファイルが実際に配置される位置は、ファイル管理領域５４０に含まれるファイル管理情報により認識できる。
【００５７】
図７（ａ）は、本発明の実施の形態における初期化実施前のハードディスクドライブ２１０の内部領域の一例を示す図である。この例において、データ領域５５０には撮像データ＃Ａ（５６０）、撮像データ＃Ｂ（５７０）、撮像データ＃Ｃ（５８０）および撮像データ＃Ｄ（５９０）のファイルデータが存在し、各々のファイルデータの先頭アドレスに対するリンク６００がファイル管理領域５４０に保持されている。そのため、撮像装置１００は、ファイル管理領域５４０に保持されるリンク６００に基づいて、対応する撮像データを読み出すことができる。
【００５８】
図７（ｂ）は、本発明の実施の形態における初期化実施後のハードディスクドライブ２１０の内部領域の一例を示す図である。この例において、ファイル管理領域５４０における撮像データに対するリンク６００は消去されている。したがって、撮像装置１００から撮像データを認識することができなくなり、撮像データも見かけ上は全て削除されたことになる。
【００５９】
しかしながら、この初期化では、データ領域５５０に撮像データ＃Ａ（５６０）、撮像データ＃Ｂ（５７０）、撮像データ＃Ｃ（５８０）および撮像データ＃Ｄ（５９０）のファイルデータが残存する。したがって、このままの状態では、何らかの手段によって管理領域を復元することにより、撮像データが復元される可能性が残る。
【００６０】
図８は、本発明の実施の形態におけるハードディスクドライブ２１０のデータ消去画面例を示す図である。このデータ消去画面は、ハードディスクドライブ２１０の初期化画面が表示部３４０に表示されている場合において、特定のボタンが一定時間以上連続して押された際に表示される画面である。
【００６１】
このデータ消去画面において、表示画面の中央部には、「データ消去を実行しますか？実行するとデータの復旧はできなくなります。」と注意を促す表示６００が表示される。また、これと併せて処理に要する予測時間が表示される。一般に、データを管理する領域のみを初期化する場合には十秒程度で処理が完了するが、全てのデータを消去するためにはハードディスクドライブ２１０の容量に応じて数十分程度の時間を要する。
【００６２】
さらに、表示画面の下方には、「はい」ボタン６１０および「いいえ」ボタン６２０が表示される。ここで、「はい」ボタン６１０が押されるとハードディスクドライブ２１０のデータ消去が実行される。
【００６３】
一方、「いいえ」ボタン６２０または「×」ボタン６３０が押されるとハードディスクドライブ２１０のデータ消去を実行せずに、図４（ａ）に示した表示画面に戻る。
【００６４】
図９は、本発明の実施の形態におけるハードディスクドライブ２１０のデータ消去の動作例を示す図である。このハードディスクドライブ２１０の内部領域は、予約領域５２０と、管理情報５３０と、ファイル管理領域５４０と、データ領域５５０とを備える。これらの構成については、上述の図７に示した構成と同様である。
【００６５】
図９（ａ）は、本発明の実施の形態におけるデータ消去前のハードディスクドライブ２１０の内部領域の一例を示す図である。この図において、データ領域５５０には撮像データ＃Ａ（５６０）、撮像データ＃Ｂ（５７０）、撮像データ＃Ｃ（５８０）および撮像データ＃Ｄ（５９０）のファイルデータが存在し、各々のファイルデータの先頭アドレスに対するリンク６００がファイル管理領域５４０に保持されている。そのため、撮像装置１００は、ファイル管理領域５４０に保持されるリンク６００に基づいて、対応する撮像データを読み出すことができる。
【００６６】
図９（ｂ）は、本発明の実施の形態におけるデータ消去後のハードディスクドライブ２１０の内部領域の一例を示す図である。ハードディスクドライブ２１０のデータ消去は、ファイル管理領域５４０における撮像データに対するリンク６００を消去するとともに、データ領域５５０に保持される撮像データに対して一定のデータを上書きすることにより実現される。これにより、データ領域５５０の撮像データ（５６０乃至５９０）は、無効データ（６１０乃至６４０）となる。その結果、撮像装置１００から撮像データを認識することができなくなり、しかも撮像データを復元することもできなくなる。
【００６７】
図１０は、本発明の実施の形態におけるハードディスクドライブ２１０の初期化およびデータ消去に関する表示画面の遷移例を示す図である。この図において、左側にはハードディスクドライブ２１０の初期化処理の画面遷移６５０が示され、右側にはハードディスクドライブ２１０のデータ消去処理の画面遷移６６０が示されている。
【００６８】
ハードディスクドライブ２１０の初期化の表示画面６７０が表示部３４０に表示されている場合において、特定のボタンが一定時間以上連続して押されるとデータ消去の表示画面７１０が表示部３４０に表示される。この例では、特定のボタンとして「逆光補正ボタン」が一定時間以上連続して押された場合に、表示画面６７０から表示画面７１０に遷移することを想定している。但し、この特定のボタンは「逆光補正ボタン」に限定されるものではなく、表示画面６７０において必要とされない他のボタンであってもよい。
【００６９】
まず、ハードディスクドライブ２１０の初期化処理の画面遷移６５０について説明する。１番目の表示画面６７０は、図６において示したハードディスクドライブ初期化画面に相当する。この１番目の表示画面６７０の左下方にある「はい」ボタン７５０が押されると、２番目の表示画面６８０が表示される。
【００７０】
２番目の表示画面６８０の中央部には、「初期化しますか？」と再度の注意を促す表示７６０が表示される。また、２番目の表示画面６８０の下部には、「はい」ボタン７７０および「いいえ」ボタン７８０が表示される。ここで、「はい」ボタン７７０が押されると、初期化の実行中を示す３番目の表示画面６９０が表示される。
【００７１】
３番目の表示画面６９０の上方には、「実行中」表示７９０が表示され、初期化が実行中であることが示される。さらに、３番目の表示画面６９０の下方には、初期化完了までの残り時間８００が表示される。この初期化の実行が完了すると、４番目の表示画面７００が表示される。
【００７２】
４番目の表示画面７００の上方には、「完了しました。」表示８１０が表示され、初期化が完了したことが示される。また、４番目の表示画面７００の左上方には、「ＯＫ」ボタン８２０が表示される。この「ＯＫ」ボタン８２０が押されると、初期化の処理が終了する。なお、初期化の画面遷移６５０において、「戻る」ボタンまたは「いいえ」ボタンが押下されると、一つ前の表示画面が表示される。
【００７３】
次に、ハードディスクドライブ２１０のデータ消去処理の画面遷移６６０について説明する。
【００７４】
１番目の表示画面７１０は、図８において示したハードディスクドライブデータ消去画面に相当する。この１番目の表示画面７１０の左下方にある「はい」ボタン８３０が押されると、２番目の表示画面７２０が表示される。
【００７５】
２番目の表示画面７２０の中央部には、「実行しますか？実行中はＡＣアダプタを抜かないでください。」と再度の注意を促す表示８４０が表示される。また、２番目の表示画面７２０の下部には、「はい」ボタン８５０および「いいえ」ボタン８６０が表示される。ここで、「はい」ボタン８５０が押下されると、データ消去が実行される３番目の表示画面７３０が表示される。
【００７６】
３番目の表示画面７３０の上方には、「実行中  実行中はＡＣアダプタを抜かないでください。」表示８７０が表示され、データ消去が実行中であることおよびＡＣアダプタの抜去が禁止されていることが示される。さらに、３番目の表示画面７３０の中央部には、初期化の完了までの残り時間８８０が表示される。また、３番目の表示画面７３０の右下方には、「中止」ボタン８９０が表示される。この「中止」ボタン８９０が押されると、データ消去の処理が終了する。また、３番目の表示画面７３０においてデータ消去の実行が終了すると、４番目の表示画面７４０が表示される。
【００７７】
４番目の表示画面７４０の上方には、「完了しました。」表示９００が表示され、データ消去が完了したことが示される。また、４番目の表示画面７４０の左上方には、「ＯＫ」ボタン９１０が表示される。この「ＯＫ」ボタン９１０が押されると、データ消去の処理が終了する。なお、データ消去の画面遷移６６０において、「戻る」ボタンまたは「いいえ」ボタンが押されると、一つ前の表示画面が表示される。
【００７８】
図１１は、本発明の実施の形態における撮像装置１００の画面表示制御の処理手順例を示すフローチャートである。この例では、特定のボタンとして「逆光補正ボタン」の押下開始および押下終了のそれぞれのイベントを検出することを想定している。但し、この特定のボタンは「逆光補正ボタン」に限定されるものではなく、表示画面６７０において必要とされない他のボタンであってもよい。
【００７９】
まず、表示状態保持部３１０に保持される表示状態がハードディスクドライブ２１０の初期化画面であるか否かが判断される（ステップＳ９１１）。その際、表示状態がハードディスクドライブ２１０の初期化画面ではなかった場合には、処理が終了する。
【００８０】
一方、表示状態がハードディスクドライブ２１０の初期化画面であった場合には、ソフトウェアによるイベントが受け付けられる（ステップＳ９１２）。ここで、イベントとは、ソフトウェア上の特定の事象に対する信号を意味する。
【００８１】
そして、ステップＳ９１２において受け付けられたイベントが、逆光補正ボタンの押下開始のイベントであれば（ステップＳ９１３）、タイマー３３０における時間の計測が開始され（ステップＳ９１４）、その後、ステップＳ９１１に戻って処理が継続される。
【００８２】
ステップＳ９１２において受け付けられたイベントが、逆光補正ボタンの押下開始のイベントでなければ（ステップＳ９１３）、逆光補正ボタンの押下終了のイベントであるか否かが判断される（ステップＳ９１５）。そのイベントが逆光補正ボタンの押下終了のイベントであれば、タイマー３３０における時間の計測が終了する（ステップＳ９１６）。その後、ステップＳ９１１に戻って処理が継続される。
【００８３】
ステップＳ９１２において受け付けられたイベントが、逆光補正ボタンの押下終了のイベントでなければ（ステップＳ９１５）、タイマー３３０において計測された時間が所定の時間を経過していること（タイムアウト）を示すイベントであるか否かが判断される（ステップＳ９１７）。そのイベントが、計測された時間が所定の時間を経過していることを示すイベントでない場合は、ステップＳ９１１に戻って処理が継続される。
【００８４】
タイマー３３０において計測された時間が所定の時間を経過していることを示すイベントの場合は（ステップＳ９１７）、ハードディスクドライブ２１０のデータ消去画面が表示される（ステップＳ９１８）。
【００８５】
タイマー３３０において計測される所定の時間は、数秒程度を想定している。したがって、逆光補正ボタンの押下が開始してから終了するまでの間に数秒程度が経過すると、タイマー３３０のタイムアウトのイベントが発生して、速やかにハードディスクドライブ２１０のデータ消去画面が表示されるようになる。これに対し、逆光補正ボタンが押下されている間は画面表示の切替を行わず、逆光補正ボタンの押下が終了した際に既に数秒程度が経過していた場合に画面表示を切り替える例が次の変形例である。
【００８６】
図１２は、本発明の実施の形態の変形例における撮像装置１００の画面表示制御の処理手順例を示すフローチャートである。
【００８７】
まず、表示状態保持部３１０に保持される表示状態がハードディスクドライブ２１０の初期化画面であるか否かが判断される（ステップＳ９２１）。その際、表示状態がハードディスクドライブ２１０の初期化画面ではなかった場合には、処理が終了する。一方、表示状態がハードディスクドライブ２１０の初期化画面であった場合には、ソフトウェアによるイベントが受け付けられる（ステップＳ９２２）。
【００８８】
そして、ステップＳ９２２において受け付けられたイベントが、逆光補正ボタンの押下開始のイベントであれば（ステップＳ９２３）、タイマー３３０における時間の計測が開始され（ステップＳ９２４）、その後、ステップＳ９２１に戻って処理が継続される。
【００８９】
ステップＳ９２２において受け付けられたイベントが、逆光補正ボタンの押下開始のイベントでなければ（ステップＳ９２３）、逆光補正ボタンの押下終了のイベントであるか否かが判断される（ステップＳ９２５）。そのイベントが逆光補正ボタンの押下終了のイベントでなければ、ステップＳ９２１に戻って処理が継続される。
【００９０】
ステップＳ９２２において受け付けられたイベントが、逆光補正ボタンの押下終了のイベントであれば、タイマー３３０における時間の計測が終了する（ステップＳ９２６）。そして、タイマー３３０において計測された時間が所定の時間を越えているか否かが判断される（ステップＳ９２７）。その際、計測された時間が所定の時間を越えていなければ、ステップＳ９２１に戻って処理が継続される。計測された時間が所定の時間を越えている場合には、ハードディスクドライブ２１０のデータ消去画面が表示される（ステップＳ９２８）。その後、ステップＳ９２１に戻って処理が継続される。
【００９１】
この変形例によれば、逆光補正ボタンが押下されている間は画面表示の切替は行われず、逆光補正ボタンの押下が終了した際に既に数秒程度が経過していた場合に画面表示が切り替えられるため、操作者にとっては自身の操作によって画面表示が切り替えられたことを認識することができる。
【００９２】
このように、本発明の実施の形態によれば、表示部３４０にハードディスクドライブ２１０の初期化画面が表示されている場合において、操作検出部２９０が特定のボタン（例えば、逆光補正ボタン）の押下開始を検出するとタイマー３３０が計時を開始し、タイムアウトするまで特定のボタンの押下が継続していれば、表示部３４０にはハードディスクドライブ２１０のデータ消去画面が表示される。これにより、ハードディスクドライブ２１０のデータ消去画面のような、通常では使用されない機能の表示画面を隠し、必要なときのみ特定のボタンを長押しすることによりその表示画面を表示させることができる。
【００９３】
なお、本発明の実施の形態は本発明を具現化するための一例を示したものであり、特許請求の範囲における発明特定事項とそれぞれ対応関係を有するが、これに限定されるものではなく本発明の要旨を逸脱しない範囲において種々の変形を施すことができる。
【図面の簡単な説明】
【００９８】
【図１】本発明の実施の形態における撮像装置１００の一構成例を示すブロック図である。
【図２】本発明の実施の形態における撮像装置１００の外観例を示す図である。
【図３】本発明の実施の形態における撮像装置１００の画面表示制御に関する機能構成例を示すブロック図である。
【図４】タッチパネル１４０における表示画面の切替操作の一例を示す図である。
【図５】本発明の実施の形態におけるハードディスクドライブ２１０の情報画面例を示す図である。
【図６】本発明の実施の形態におけるハードディスクドライブ２１０の初期化画面例を示す図である。
【図７】本発明の実施の形態におけるハードディスクドライブ２１０の初期化の動作例を示す図である。
【図８】本発明の実施の形態におけるハードディスクドライブデータ２１０の消去画面例を示す図である。
【図９】本発明の実施の形態におけるハードディスクドライブ２１０のデータ消去の動作例を示す図である。
【図１０】本発明の実施の形態におけるハードディスクドライブ２１０の初期化およびデータ消去に関する表示画面の遷移例を示す図である。
【図１１】本発明の実施の形態における撮像装置１００の画面表示制御の処理手順例を示すフローチャートである。
【図１２】本発明の実施の形態の変形例における撮像装置１００の画面表示制御の処理手順例を示すフローチャートである。
【符号の説明】
【００９９】
１００  撮像装置
１１０  マイクロプロセッサ
１２０  表示信号作成回路
１３０  重畳回路
１４０  タッチパネル
１５０  ビューファインダ
１６０  出力端子
１７０  レンズ
１９０  カメラ信号処理回路
２００  記録回路
２１０  ハードディスクドライブ
２２０  キー入力回路
２３０  電源回路
２４０  電源コントロール回路
２５０  バッテリ
２６０  ケーブル
２７０  外部操作スイッチ
２８０  電源スイッチ
２９０  操作検出部
３００  表示画面保持部
３１０  表示状態保持部
３２０  表示制御部
３３０  タイマー
３４０  表示部
【図１】
0004984867.tif 000002
【図２】
0004984867.tif 000003
【図３】
0004984867.tif 000004
【図７】
0004984867.tif 000005
【図９】
0004984867.tif 000006
【図１０】
0004984867.tif 000007
【図１１】
0004984867.tif 000008
【図１２】
0004984867.tif 000009
【図４】
0004984867.tif 000010
【図５】
0004984867.tif 000011
【図６】
0004984867.tif 000012
【図８】
0004984867.tif 000013